(57)【要約】    【課題】      システムを容易に構築するとともにシステムの構築に要する費用を低減し、狭い範囲に限定された身近な危険情報を柔軟に通知するとともに確実に通知すること。    【解決手段】  通信装置２００は、例えば工事中であることを表示する看板等に取り付けられ、工事中である旨の危険情報を所定の周期にて危険エリア＃３０１、＃３０２の狭い範囲に存在する通信端末装置１００に対してのみ届くように危険情報を送信する。通信端末装置１００の保有者が位置＃３０３から位置＃３０４に移動することによって、通信端末装置１００は危険エリア＃３０１内に入るので、通信端末装置１００は、危険エリア＃３０１の通信装置２００から送信された危険情報を受信して保有者に通知する。  【選択図】      図３
2005348244.tif 000002
【特許請求の範囲】
【請求項１】
危険エリア内または前記危険エリアの近傍に設置された通信装置より前記危険エリア内における危険を知らせる情報である危険情報を所定の周期にて送信するステップと、
前記危険エリア内の通信端末装置または前記危険エリアに接近する通信端末装置が前記危険情報を受信するステップと、
前記危険情報を受信した前記通信端末装置が前記危険情報を受信したことを通知するステップと、
前記通信端末装置が前記危険情報を受信したことを通知した後に前記危険情報の内容を通知するステップと、
を具備することを特徴とする危険情報通知方法。
【請求項２】
前記通信端末装置が通信相手と通信中に前記通信端末装置が前記危険情報を受信した場合には、前記通信端末装置は前記通信相手との通信を保留にして前記危険情報の内容を通知することを特徴とする請求項１記載の危険情報通知方法。
【請求項３】
前記通信端末装置が通信相手と通信中に前記通信端末装置が前記危険情報を受信した場合には、前記通信端末装置から前記通信相手に前記危険情報を送信することを特徴とする請求項１または請求項２記載の危険情報通知方法。
【請求項４】
受信した前記危険情報が所定期間内の過去に受信した前記危険情報と同一であるか否かを判定するステップを具備し、
前記受信した前記危険情報が前記期間内の過去に受信した前記危険情報と同一である場合には前記通信端末装置は前記危険情報を受信したことを通知しないことを特徴とする請求項１から請求項３のいずれかに記載の危険情報通知方法。
【請求項５】
危険エリア内における危険を知らせる情報である危険情報を受信する受信手段と、
前記受信手段にて受信した前記危険情報が所定期間内の過去に受信した前記危険情報と同一である場合には前記受信手段にて受信した前記危険情報を通知しないことを決定し、前記受信手段にて受信した前記危険情報が所定期間内の過去に受信した前記危険情報と同一でない場合には前記受信手段にて受信した前記危険情報を通知することを決定する比較手段と、
前記比較手段にて前記危険情報を通知することが決定された場合に前記危険情報を通知する通知手段と、
を具備することを特徴とする通信端末装置。
【請求項６】
前記通信相手と通信中である場合には前記受信手段にて受信した前記危険情報を前記通信相手に対して送信するか否かを選択する選択手段と、
前記選択手段にて前記危険情報を前記通信相手に送信することが選択された場合には前記受信手段にて受信した前記危険情報を前記通信相手に送信する送信手段と、
を具備することを特徴とする請求項５記載の通信端末装置。
【発明の詳細な説明】
【技術分野】
【０００１】
本発明は特に簡易なシステムにより危険情報を通知する危険情報通知方法及び通信端末装置に関する。
【背景技術】
【０００２】
従来、携帯電話機等の移動電話機を利用し、緊急情報の通知を行うことにより、移動電話機を携帯するユーザが、現在いる場所は安全なのか、避難する必要があるのか等の情報を得るものが知られている（例えば、特許文献１）。
【０００３】
図９は、従来の緊急情報通知システムを示す図である。図９における緊急情報通知システムは、災害発生等に関する緊急情報が存在するというパラメータを付加した報知情報を発信する基地局１０と、報知情報を受信する移動電話機２０とを備え、パラメータは緊急情報を受信するためのチャネル情報と、緊急情報の識別子とを含む。さらに、移動電話機２０は、報知情報に付加された緊急情報の識別子を保存する緊急情報テーブルを備え、基地局１０は、基地局１０の設置場所に特化した情報を、移動電話機２０を携帯したユーザに発信する。
【特許文献１】特開２００２−１８５３８９号公報
【発明の開示】
【発明が解決しようとする課題】
【０００４】
しかしながら、従来の危険情報通知方法及び通信端末装置においては、緊急情報の通知に公衆の電話回線を用いるため、大規模なシステムの構築が必要となり、システムの構築が容易に行えないとともにシステムの構築に費用が掛かるという問題がある。また、従来の危険情報通知方法及び通信端末装置においては、大規模なシステムを構築して緊急情報を報知するものであるため、地震または津波等の大規模な災害には対応できるシステムであるが、工事現場または事故現場等の非常に狭い範囲に限定された危険情報の通知に柔軟に対応することができないという問題がある。また、工事現場または事故現場等に設置される危険エリアである旨を通知する看板は、目が不自由な方には役に立たないという問題がある。さらに、耳の不自由な方が、工事現場または事故現場等に設置される危険エリアである旨を通知する看板を見落とした場合には、危険を認識する手段がないという問題がある。
【０００５】
本発明はかかる点に鑑みてなされたものであり、システムを容易に構築することができるとともにシステムの構築に要する費用を低減することができ、狭い範囲に限定された身近な危険情報を柔軟に通知することができるとともに確実に通知することができる危険情報通知方法及び通信端末装置を提供することを目的とする。
【課題を解決するための手段】
【０００６】
本発明の危険情報通知方法は、危険エリア内または前記危険エリアの近傍に設置された通信装置より前記危険エリア内における危険を知らせる情報である危険情報を所定の周期にて送信するステップと、前記危険エリア内の通信端末装置または前記危険エリアに接近する通信端末装置が前記危険情報を受信するステップと、前記危険情報を受信した前記通信端末装置が前記危険情報を受信したことを通知するステップと、前記通信端末装置が前記危険情報を受信したことを通知した後に前記危険情報の内容を通知するステップと、を具備するようにした。
【０００７】
この方法によれば、危険エリア内または危険エリア近傍に設置した通信装置より、危険エリア内または危険エリアに接近する通信端末装置に対して危険情報を送信し、危険情報を受信した通信端末装置は危険情報を通知するので、危険情報の通知には公衆の電話回線を用いないことによりシステムを容易に構築することができるとともに、システムの構築に要する費用を低減することができ、狭い範囲に限定された身近な危険情報を柔軟に通知することができるとともに確実に通知することができる。
【０００８】
本発明の危険情報通知方法は、前記方法において、前記通信端末装置が通信相手と通信中に前記通信端末装置が前記危険情報を受信した場合には、前記通信端末装置は前記通信相手との通信を保留にして前記危険情報の内容を通知するようにした。
【０００９】
この方法によれば、前記効果に加えて、通信相手と通信中の場合でも危険情報を通知するので、危険情報を確実に通知することができる。
【００１０】
本発明の危険情報通知方法は、前記方法において、前記通信端末装置が通信相手と通信中に前記通信端末装置が前記危険情報を受信した場合には、前記通信端末装置から前記通信相手に前記危険情報を送信するようにした。
【００１１】
この方法によれば、前記効果に加えて、通信中に危険情報を受信した場合には、受信した危険情報を通信相手に送信することにより、危険エリア内に居ることまたは危険エリアに接近していることを通信相手に知らせることができるので、事故等に巻き込まれた場合に迅速に救援を受けることができる。
【００１２】
本発明の危険情報通知方法は、前記方法において、受信した前記危険情報が所定期間内の過去に受信した前記危険情報と同一であるか否かを判定するステップを具備し、前記受信した前記危険情報が前記期間内の過去に受信した前記危険情報と同一である場合には前記通信端末装置は前記危険情報を受信したことを通知しないようにした。
【００１３】
この方法によれば、前記効果に加えて、最新に受信した危険情報が所定時間内の過去に受信した危険情報と同一である場合には危険情報を通知しないので、危険情報を受信したことを通知する受信通知音が繰り返し出力されること、及び同一の危険情報が繰り返し通知されることを防ぐことができる。
【００１４】
本発明の通信端末装置は、危険エリア内における危険を知らせる情報である危険情報を受信する受信手段と、前記受信手段にて受信した前記危険情報が所定期間内の過去に受信した前記危険情報と同一である場合には前記受信手段にて受信した前記危険情報を通知しないことを決定し、前記受信手段にて受信した前記危険情報が所定期間内の過去に受信した前記危険情報と同一でない場合には前記受信手段にて受信した前記危険情報を通知することを決定する比較手段と、前記比較手段にて前記危険情報を通知することが決定された場合に前記危険情報を通知する通知手段と、を具備する構成を採る。
【００１５】
この構成によれば、最新に受信した危険情報が所定時間内の過去に受信した危険情報と同一である場合には危険情報を通知しないので、危険情報を受信したことを通知する受信通知音が繰り返し出力されること、及び同一の危険情報が繰り返し通知されることを防ぐことができる。
【００１６】
本発明の通信端末装置は、前記構成において、前記通信相手と通信中である場合には前記受信手段にて受信した前記危険情報を前記通信相手に対して送信するか否かを選択する選択手段と、前記選択手段にて前記危険情報を前記通信相手に送信することが選択された場合には前記受信手段にて受信した前記危険情報を前記通信相手に送信する送信手段と、を具備する構成を採る。
【００１７】
この構成によれば、前記効果に加えて、通信中に危険情報を受信した場合には、受信した危険情報を通信相手に送信することにより、危険エリア内に居ることまたは危険エリアに接近していることを通信相手に知らせることができるので、事故等に巻き込まれた場合に迅速に救援を受けることができる。
【発明の効果】
【００１８】
本発明によれば、システムを容易に構築することができるとともにシステムの構築に要する費用を低減することができ、狭い範囲に限定された身近な危険情報を柔軟に通知することができるとともに確実に通知することができる。
【発明を実施するための最良の形態】
【００１９】
本発明の骨子は、危険エリア内または危険エリアの近傍に設置された通信装置より危険エリア内における危険を知らせる情報である危険情報を送信し、危険エリア内の通信端末装置または危険エリアに接近する通信端末装置が危険情報を受信した場合には、通信端末装置は危険情報を受信したことを通知することである。
【００２０】
以下、本発明の実施の形態について、図面を参照して詳細に説明する。
【００２１】
（実施の形態１）
図１は、本発明の実施の形態１に係る通信端末装置１００の構成を示すブロック図である。
【００２２】
アンテナ１０１は、受信した危険情報を危険情報用受信部１０３へ出力する。
【００２３】
受信部電源回路１０２は、危険情報用受信部１０３に対して電力を供給する場合と、危険情報用受信部１０３に対して電力を供給しない場合とを切り替える。受信部電源回路１０２は、例えばスイッチを切り替えることにより、危険情報用受信部１０３に対する電力の供給と非供給とを切り替える。受信部電源回路１０２から危険情報用受信部１０３への電源の供給が非供給の場合には、通信端末装置１００は通常の携帯電話等の通信機能を有する。
【００２４】
危険情報用受信部１０３は、受信部電源回路１０２から電力が供給されている場合には、アンテナ１０１から入力した危険情報に対して所定の受信処理を行って危険情報用制御部１０５へ出力する。また、危険情報用受信部１０３は、受信部電源回路１０２から電力が供給されていない場合には、アンテナ１０１から入力した危険情報に対して所定の受信処理を行わないとともに、危険情報用制御部１０５へ危険情報を出力しない。
【００２５】
出力指示部１０４は、危険情報を文字または画像等にて表示するためのデータである表示データとして出力するか、または音声データとして出力するかを危険情報用制御部１０５に対して指示する。また、出力指示部１０４は、危険情報を通信相手に送信するか否かを危険情報用制御部１０５に対して指示する。例えば、出力指示部１０４は、スイッチを切り替えることにより、危険情報を表示データとして出力するかまたは音声データとして出力するか、及び危険情報を通信相手に送信するか否かを指示する。
【００２６】
選択手段である危険情報用制御部１０５は、危険情報用受信部１０３から危険情報が入力した場合には、危険情報を受信したことを通知するための受信通知音を出力するように音声部１１２に対して指示する。また、危険情報用制御部１０５は、制御部１０９から入力した通信相手と表示データによる通信中であるか否かの情報及び通信相手と通話中であるか否かの情報と、出力指示部１０４から入力した危険情報を音声データまたは表示データのいずれの形式にて出力するかの情報とに基づいて、危険情報を表示部１１１または音声部１１２へ出力する。また、危険情報用制御部１０５は、危険情報を通話中の通信相手に送信することを出力指示部１０４より指示された場合には、危険情報を送信部１１０へ出力する。なお、危険情報を通知する方法については後述する。
【００２７】
アンテナ１０６は、通信相手と通信中である場合において、受信した危険情報を含まない受信信号を送受信切替部１０７へ出力し、送受信切替部１０７から入力した送信信号を送信する。
【００２８】
送受信切替部１０７は、アンテナ１０６から入力した受信信号を受信部１０８へ出力し、送信部１１０から入力した送信信号をアンテナ１０６へ出力する。
【００２９】
受信部１０８は、送受信切替部１０７から入力した受信信号に対して所定の受信処理を行って制御部１０９へ出力する。
【００３０】
制御部１０９は、受信部１０８から入力した受信信号の内、音声データを音声部１１２へ出力し、表示データを表示部１１１へ出力する。また、制御部１０９は、送信データを生成して送信部１１０へ出力する。
【００３１】
送信部１１０は、制御部１０９から入力した送信信号に対して所定の送信処理を行って送受信切替部１０７へ出力する。また、送信部１１０は、危険情報用制御部１０５から危険情報が入力した場合には、危険情報を含む送信信号に対して所定の送信処理を行って送受信切替部１０７へ出力する。
【００３２】
表示部１１１は、危険情報用制御部１０５から入力した危険情報の内容を表示データの形式にて表示し、制御部１０９から入力した表示データを表示する。
【００３３】
音声部１１２は、危険情報用制御部１０５の指示により、危険情報を受信したことを通知するための受信通知音を出力する。また、音声部１１２は、制御部１０９から入力した音声データを出力する。さらに、音声部１１２は、危険情報用制御部１０５から入力した危険情報の内容を音声データの形式にて出力する。
【００３４】
次に、危険エリア内または危険エリアの近傍に設置される危険情報を送信する通信装置２００の構成について、図２を用いて説明する。図２は、通信装置２００の構成を示すブロック図である。
【００３５】
入力部２０１は、通信装置２００が設置される工事現場、事故現場またはがけ崩れ現場等の危険エリアに応じた危険情報が外部より入力して制御部２０２へ出力する。
【００３６】
制御部２０２は、入力部２０１から入力した危険情報を送信信号に含めて送信部２０３へ出力する。
【００３７】
送信部２０３は、制御部２０２から入力した送信信号に対して所定の送信処理を行ってアンテナ２０４へ出力する。
【００３８】
アンテナ２０４は、送信部２０３から入力した送信信号を送信する。
【００３９】
次に、危険情報を通知する方法について、図３〜図７を用いて説明する。図３は、通信装置２００から通信端末装置１００へ危険情報を通知する方法を示す模式図であり、図４〜図７は、通信端末装置１００の動作を示すフロー図である。
【００４０】
図３において、通信装置２００は、例えば工事中であることを表示する看板等に取り付ける方法、または工事現場の片隅に支柱により設置する方法等の任意の方法により設置されるものであり、工事が終了した場合には次の工事現場に容易に移動することができる。また、通信装置２００は、工事中である旨の危険情報を所定の周期にて送信するとともに、各通信装置２００は、危険エリア＃３０１、＃３０２の数メートル程度の狭い範囲に存在する通信端末装置１００に対してのみ届くように危険情報を送信する。また、各通信装置２００は、危険エリア＃３０１、＃３０２内の危険情報のみを送信する。また、通信装置２００は、危険エリア＃３０１、＃３０２内に設置する場合に限らず、危険エリア＃３０１、＃３０２の近傍に設置して、通信端末装置１００の保有者が危険エリア＃３０１、＃３０２に入らないように通信端末装置１００へ危険情報を通知することも可能である。
【００４１】
通信端末装置１００の保有者が危険エリア＃３０１、＃３０２の外の位置＃３０３に居る場合には、通信端末装置１００は通信装置２００から送信される危険情報を受信することはないが、通信端末装置１００の保有者が位置＃３０３から位置＃３０４に移動することによって通信端末装置１００は危険エリア＃３０１内に入るので、通信端末装置１００は、危険エリア＃３０１の通信装置２００から送信された危険情報を受信する（ステップＳＴ４０１）。
【００４２】
次に、通信端末装置１００は、危険情報用制御部１０５にて通信相手と通信中であるか否かを判定する（ステップＳＴ４０２）。具体的には、危険情報用制御部１０５は、制御部１０９から通信相手と通信中である旨の情報が入力したか否かを判定する。通信中である場合には、次に、通信端末装置１００は、危険情報用制御部１０５にて通話中であるか否かを判定する（ステップＳＴ４０３）。具体的には、危険情報用制御部１０５は、制御部１０９から通信相手と通話中である旨の情報が入力したか否かを判定する。通話中である場合には、次に、通信端末装置１００は音声部１１２にて通話中に危険情報を受信したことを通知するための受信通知音を出力する（ステップＳＴ４０４）。
【００４３】
次に、通信端末装置１００の危険情報用制御部１０５は、受信した危険情報を通信相手に送信することを出力指示部１０４より指示されたか否か、即ち受信した危険情報を通話相手に知らせるための通話ボタンがオンになっているか否かを判定する（ステップＳＴ４０５）。通話ボタンがオンになっていない場合には、危険情報用制御部１０５は、受信した危険情報の出力を出力指示部１０４より指示されたか否か、即ち通信相手には危険情報の内容を伝えずに自分だけが危険情報の内容を知ることができるように保留ボタンがオンされているか否かを判定する（ステップＳＴ４０６）。保留ボタンがオンされている場合には、危険情報用制御部１０５は、制御部１０９に対して音声部１１２に出力される音声データを一時的に停止して通話を保留にするように指示する。次に、通信端末装置１００は音声部１１２または表示部１１１にて危険情報の内容を音声データまたは表示データにて出力する（ステップＳＴ４０７）。次に、危険情報用制御部１０５は、出力指示部１０４にて通話の保留の解除の指示がされたか否か、即ち保留ボタンがオフにされているか否かを判定する（ステップＳＴ４０８）。保留ボタンがオフにされている場合には、危険情報用制御部１０５は、制御部１０９に対して制御部１０９から音声部１１２への音声データの出力を再開するように指示して、通信相手との通話中の状態に戻る（ステップＳＴ４０９）。保留ボタンがオフにされていない場合には、通信端末装置１００は表示部１１１による危険情報の内容の表示データの出力、または音声部１１２による危険情報の内容の音声データの出力を継続する（ステップＳＴ４０７）。
【００４４】
一方、ステップＳＴ４０５において、危険情報を通信相手の通信装置に送信する場合、即ち受信した危険情報を通話相手に知らせるための通話ボタンがオンになっている場合には、通信端末装置１００は、危険情報を通信相手の通信装置に送信し（ステップＳＴ４１０）、音声部１１２または表示部１１１より危険情報の内容を音声データまたは表示データにて出力する（ステップＳＴ４１１）。次に、通信端末装置１００は、危険情報の送信及び危険情報の内容の音声による出力を終了した後、通常の通信相手との通話中の状態に戻る（ステップＳＴ４０９）。また、ステップＳＴ４０６において、保留ボタンがオンになっていない場合には、危険情報用制御部１０５は危険情報の出力は行わない。
【００４５】
ステップＳＴ４０２において、通信端末装置１００は通信相手と通信中でない場合には、音声部１１２にて危険情報を受信したことを通知する受信通知音を出力する（ステップＳＴ４１２）。次に、通信端末装置１００の危険情報用制御部１０５は、危険情報の音声情報の出力が出力指示部１０４より指示されているか否かを判定する（ステップＳＴ４１３）。危険情報の音声情報の出力が指示されている場合には、通信端末装置１００は音声部１１２より危険情報を音声データにて出力する（ステップＳＴ４１４）。一方、ステップＳＴ４１３において、危険情報用制御部１０５は危険情報の音声データの出力が出力指示部１０４より指示されていない場合には、音声データの出力はしない。
【００４６】
次に、通信端末装置１００の危険情報用制御部１０５は、危険情報の文字情報の出力が出力指示部１０４より指示されているか否かを判定する（ステップＳＴ４１５）。危険情報の文字情報の出力が指示されている場合には、通信端末装置１００は表示部１１１にて危険情報を表示データにて出力する（ステップＳＴ４１６）。一方、ステップＳＴ４１５において、危険情報用制御部１０５は危険情報の表示データの出力が出力指示部１０４より指示されていない場合には、表示データの出力はしない。
【００４７】
ステップＳＴ４０３において、通話中ではない場合には、音声部１１２にて危険情報を受信したことを通知する受信通知音を出力する（ステップＳＴ４１７）。次に、通信端末装置１００の危険情報用制御部１０５は、危険情報の音声情報の出力が出力指示部１０４より指示されているか否かを判定する（ステップＳＴ４１８）。危険情報の音声情報の出力が指示されている場合には、通信端末装置１００は音声部１１２にて危険情報を音声データにて出力する（ステップＳＴ４１９）。一方、ステップＳＴ４１８において、危険情報用制御部１０５は危険情報の音声データの出力が出力指示部１０４より指示されていない場合には、音声データの出力はしない。
【００４８】
次に、危険情報用制御部１０５は、危険情報の表示データの出力が出力指示部１０４より指示されているか否か、即ち文字情報ボタンがオンされているか否かを判定する（ステップＳＴ４２０）。文字情報ボタンがオンされている場合には、危険通信端末装置１００は危険情報を表示部１１１へ出力し、表示部１１１は危険情報用制御部１０５から入力した危険情報の表示データと制御部１０９から入力した表示データとの両方を表示する（ステップＳＴ４２１）。次に、通信端末装置１００は、表示部１１１にて危険情報の表示データの出力を終了した後、通常の通信相手との通信中の状態に戻る（ステップＳＴ４２２）。一方、ステップＳＴ４２０において、文字情報ボタンがオンされていない場合には、表示部１１１は制御部１０９から入力した表示データのみを表示する。
【００４９】
このように、本実施の形態１によれば、危険エリア内または危険エリア近傍に設置した通信装置より、危険エリア内または危険エリアに接近する通信端末装置に対して危険情報を送信し、危険情報を受信した通信端末装置は危険情報を通知するので、危険情報の通知には公衆の電話回線を用いないことによりシステムを容易に構築することができ、システムの構築に要する費用を低減することができ、狭い範囲に限定された身近な危険情報を柔軟に通知することができるとともに確実に通知することができる。また、本実施の形態１によれば、通話中に危険情報を受信した場合には、受信した危険情報を通話相手に送信することにより、危険エリア内に居ることまたは危険エリアに接近していることを通話相手に知らせることができるので、事故等に巻き込まれた場合に迅速に救援を受けることができる。また、本実施の形態１によれば、通信中に危険情報を受信した場合には通信中の表示データの表示と危険情報の表示データの表示とを一緒に表示することができるので、危険情報の表示により通信中の表示データが表示できなくなる状態を防ぐことができる。また、本実施の形態１によれば、通話中の場合においても危険情報を受信したことを受信通知音により通知するので、危険が迫っていることを確実に通知することができる。また、本実施の形態１によれば、危険情報を送信するエリアが狭いことにより危険情報の送信は微少電力で良いので、危険情報を送信する通信装置を安価に製作することができるとともに小型化することができる。また、危険情報を通知する際には暗号化等の複雑な制御は不要であるので、情報処理量の増加を抑えることができるとともに、送信側及び受信側の回路規模の大型化を防ぐことができる。
【００５０】
（実施の形態２）
図８は、本発明の実施の形態２に係る通信端末装置８００の構成を示すブロック図である。
【００５１】
本実施の形態２に係る通信端末装置８００は、図１に示す実施の形態１に係る通信端末装置１００において、図８に示すように、メモリ８０１及び比較部８０２を追加する。なお、図８においては、図１と同一構成である部分には同一の符号を付してその説明は省略する。
【００５２】
メモリ８０１は、比較部８０２から入力した危険情報を記憶する。
【００５３】
比較部８０２は、危険情報用受信部１０３から入力した危険情報とメモリ８０１から入力した危険情報とを比較して、異なる危険情報である場合には危険情報用受信部１０３から入力した危険情報を危険情報用制御部１０５へ出力し、同一の危険情報である場合には危険情報用受信部１０３から入力した危険情報は危険情報用制御部１０５へ出力しない。また、比較部８０２は、所定時間毎に危険情報用受信部１０３から入力した危険情報をメモリ８０１へ出力する。
【００５４】
次に、危険情報を通知する方法について、図４〜図７を用いて説明する。図４のステップＳＴ４０１とステップＳＴ４０２との間において、比較部８０２は、受信した最新の危険情報が所定時間内の過去に受信した危険情報と同一であるか否かを判定する。所定時間内に受信した過去の危険情報と同一でない場合には、図４〜図７のステップＳＴ４０２〜ステップＳＴ４２２の処理を行い、所定時間内に受信した過去の危険情報と同一である場合には、通信端末装置８００は危険情報の通知は行わない。なお、その他の動作は図４〜図７と同一であるのでその説明は省略する。
【００５５】
このように、本実施の形態２によれば、上記実施の形態１の効果に加えて、最新に受信した危険情報が所定時間内の過去に受信した危険情報と同一である場合には危険情報を通知しないので、危険情報を受信したことを通知する受信通知音が繰り返し出力されること、及び同一の危険情報が繰り返し通知されることを防ぐことができる。
【００５６】
なお、上記実施の形態１及び実施の形態２において、危険情報を送信する通信装置を危険エリア内または危険エリア近傍に設置することとしたが、これに限らず、救急車または消防車等の緊急用車両に取り付けることも可能である。
【産業上の利用可能性】
【００５７】
本発明にかかる危険情報通知方法及び通信端末装置は、システムを容易に構築することができるとともにシステムの構築に要する費用を低減することができ、狭い範囲に限定された身近な危険情報を柔軟に通知することができるとともに確実に通知する効果を有し、危険情報を通知するのに有用である。
【図面の簡単な説明】
【００５８】
【図１】本発明の実施の形態１に係る通信端末装置の構成を示すブロック図
【図２】本発明の実施の形態１に係る通信装置の構成を示すブロック図
【図３】本発明の実施の形態１に係る危険情報の通知方法を示す模式図
【図４】本発明の実施の形態１に係る危険情報の通知方法を示すフロー図
【図５】本発明の実施の形態１に係る危険情報の通知方法を示すフロー図
【図６】本発明の実施の形態１に係る危険情報の通知方法を示すフロー図
【図７】本発明の実施の形態１に係る危険情報の通知方法を示すフロー図
【図８】本発明の実施の形態２に係る通信端末装置の構成を示すブロック図
【図９】従来の緊急情報通知システムを示す図
【符号の説明】
【００５９】
１００、８００  通信端末装置
１０２  受信部電源回路
１０３  危険情報用受信部
１０４  出力指示部
１０５  危険情報用制御部
１０８  受信部
１０９  制御部
１１０  送信部
１１１  表示部
１１２  音声部
８０１  メモリ
８０２  比較部
【図１】
2005348244.tif 000003
【図２】
2005348244.tif 000004
【図３】
2005348244.tif 000005
【図４】
2005348244.tif 000006
【図５】
2005348244.tif 000007
【図６】
2005348244.tif 000008
【図７】
2005348244.tif 000009
【図８】
2005348244.tif 000010
【図９】
2005348244.tif 000011